(57)【要約】  本発明は、組立式ポンツーンに関し、本発明によると、枠面に沿って複数の結合溝が一定間隔離隔されるように各々形成され、互いに面結合される上部本体と下部本体からなる複数の本体と、前記上部本体と下部本体の成形時に前記上部本体と下部本体の内部にインサートされ、前記複数の結合溝に対応して、外部面が部分的に前記複数の結合溝の内部に位置された複数のジョイントバと、前記上部本体と下部本体の各々の所定の位置に対称されるように形成された複数の貫通孔に挿入されて互いに締結される一対の締結部材と、一端が前記複数の本体中いずれか一つに形成された前記複数の結合溝中いずれか一つに挿入され、他端が前記複数の本体の他の一つに形成された前記複数の結合溝中いずれか一つに挿入されて前記複数の本体を互いに連結する複数の連結具とを含んでなることを特徴とする。【選択図】図１
2016510287.tif 000002
【特許請求の範囲】
【請求項１】
枠面に沿って複数の結合溝が一定間隔離隔されるように各々形成され、互いに面結合される上部本体と下部本体からなる複数の本体と、
前記上部本体と下部本体の成形時に前記上部本体と下部本体の内部にインサートされ、前記複数の結合溝に対応して、外部面が部分的に前記複数の結合溝の内部に位置された複数のジョイントバと、
前記上部本体と下部本体の各々の所定の位置に対称されるように形成された複数の貫通孔に挿入されて互いに締結される一対の締結部材と、
一端が前記複数の本体中いずれか一つに形成された前記複数の結合溝中いずれか一つに挿入され、他端が前記複数の本体の他の一つに形成された前記複数の結合溝中いずれか一つに挿入されて前記複数の本体を互いに連結する複数の連結具と、を含んでなることを特徴とする組立式ポンツーン。
【請求項２】
前記一対の締結部材は、一対のフランジ部と、前記一対のフランジ部に各々突出形成された締結部を備えた第１および第２の締結具に構成され、
前記一対のフランジ部に各々突出形成された締結部中いずれか一つの外周面には、雄ねじ部が形成され、他の一つの内周面には、雌ねじ部が形成されることを特徴とする請求項１に記載の組立式ポンツーン。
【請求項３】
前記一対のフランジ部中いずれか一つには、上記締結部と反対方向に環部が突出形成されることを特徴とする請求項２に記載の組立式ポンツーン。
【請求項４】
前記下部本体の上部面には少なくとも一つ以上の挿入溝が形成され、前記上部本体の下部面には、前記挿入溝に挿入される少なくとも一つ以上の挿入突起が形成されることを特徴とする請求項１に記載の組立式ポンツーン。
【請求項５】
前記複数のジョイントバは、長さ方向の所定の位置に少なくとも一つ以上の固定リブが上部面と下部面に対称されるように突出形成された本体と、前記本体の一側面に結合され、結合溝が備えられた第１の結合部と、前記本体の他側面に結合され、前記結合突起に挿入される結合突起が備えられた第２の結合部からなることを特徴とする請求項１に記載の組立式ポンツーン。
【請求項６】
前記第１の結合部と第２の結合部の互いの高さが異なるように上記本体に結合されることを特徴とする請求項５に記載の組立式ポンツーン。
【請求項７】
前記複数の連結具の内部には、強度補強用芯材が設けられることを特徴とする請求項１に記載の組立式ポンツーン。
【発明の詳細な説明】
【技術分野】
【０００１】
本発明は、組立式ポンツーンに関し、より具体的に説明すると、ボートやヨットなどの船舶係留場や接岸施設として利用されたり、海水面に浮遊して橋としての役割を果たす浮橋をはじめ、様々な海上構造物を簡単に組立式に設置することにより、設置が簡単で様々な形で組み立てて使用できる組み立式ポンツーンに関する。
【背景技術】
【０００２】
一般に、組立式ポンツーンは、ボートやヨットなどの船舶係留場や接岸施設として使用されるか、海面に浮遊して橋としての役割を果たす浮橋をはじめ、様々な海上構造物に使用されており、最近では、ウォータースポーツの普及拡大と多様な用途の海上構造物の必要性のために多くの関心と開発が行われている。
【０００３】
このような組立式ポンツーンは、ボートやヨットなどの接岸のために、従来の板材などの木材からなる接岸施設が持つ構造的脆弱性を解消し、コンクリート構造物からなる接岸施設が持つ海面の高さの変化に伴うアクセスの難しさと接眼施設を設置する労力とコストの増加を解消するようにする長所を有する。
【０００４】
従来の組立式ポンツーンには、韓国登録特許第１０−１０６００８６号に「テイクが装着された組立式ポンツーン」が開示されている。
【０００５】
前記の従来技術は、内部に空間部が密閉形成された中空形態の本体で外形を構成する組立式ポンツーンにおいて、本体の上面には、取付け溝が陥没形成され、取付け溝にはテックが載せられ、テックが載せられる本体の上面には、バー形状を有し外周面に沿ってフランジが一体に延びて形成された締結部材がインサートブロー成形され、締結部材ではテックを貫通するボルトが締結されるようにして、本体の上面周面には枠部が突出形成され、枠部は少なくとも一つ以上の排水口が貫通形成され、締結部材が挿入される本体上面の挿入部の周辺には、テックを支える段差部を突出形成してタックと取付け溝との間に排水路が形成される。
【０００６】
しかし、前述した従来の組立式ポンツーンは、上方向積層に対して安定した結合が行われるが、横方向の結合が環部によってほとんど点接触による結合方法で構成されており、外部の水圧や荷重等によって意図されずに分離される問題点があり、このような結合方法により、ポンツーンが外部の荷重によって環部による結合部位を中心にモーメントの運動をするようになることで、ポンツーンからなる上部面が凹凸を成すようになり、不安定な上部面を形成する問題点がある。
【先行技術文献】
【特許文献】
【０００７】
【特許文献１】韓国登録特許第１０−１０６００８６号
【発明の概要】
【発明が解決しようとする課題】
【０００８】
従って、本発明は、前述した問題点を解決しようとするもので、本発明の一実施形態に係る組立式ポンツーンは、複数の本体を連結具を介して面接触を維持できるように相互結合されることにより、外部の水圧や荷重等に十分耐えられる耐久性を持って、複数の本体の結合及び分離が容易な組立式ポンツーンを提供することを目的とする。
【課題を解決するための手段】
【０００９】
上記およびその他の本発明の目的を達成するために、本発明の実施形態によると、枠面に沿って複数の結合溝が一定間隔離隔されるように各々形成され、互いに面結合される上部本体と下部本体からなる複数の本体と、前記上部本体と下部本体の成形時に前記上部本体と下部本体の内部にインサートされ、前記複数の結合溝に対応して、外部面が部分的に前記複数の結合溝の内部に位置された複数のジョイントバと、前記上部本体と下部本体の各々の所定の位置に対称されるように形成された複数の貫通孔に挿入されて互いに締結される一対の締結部材と、一端が前記複数の本体中いずれか一つに形成された前記複数の結合溝中いずれか一つに挿入され、他端が前記複数の本体の他の一つに形成された前記複数の結合溝中いずれか一つに挿入されて前記複数の本体を互いに連結する複数の連結具と、を含んでなることを特徴とする組立式ポンツーンを提供する。
【００１０】
前記一対の締結部材は、一対のフランジ部と、前記一対のフランジ部に各々突出形成された締結部を備えた第１および第２の締結具に構成され、前記一対のフランジ部に各々突出形成された締結部中いずれか一つの外周面には、雄ねじ部が形成され、他の一つの内周面には、雌ねじ部が形成されることを特徴とする。
【００１１】
前記一対のフランジ部中いずれか一つには、上記締結部と反対方向に環部が突出形成されることを特徴とする。
【００１２】
前記下部本体の上部面には少なくとも一つ以上の挿入溝が形成され、前記上部本体の下部面には、前記挿入溝に挿入される少なくとも一つ以上の挿入突起が形成されることを特徴とする。
【００１３】
前記複数のジョイントバは、長さ方向の所定の位置に少なくとも一つ以上の固定リブが上部面と下部面に対称されるように突出形成された本体と、前記本体の一側面に結合され、結合溝が備えられた第１の結合部と、前記本体の他側面に結合され、前記結合突起に挿入される結合突起が備えられた第２の結合部からなることを特徴とする
【００１４】
前記第１の結合部と第２の結合部の互いの高さが異なるように上記本体に結合されることを特徴とする。
前記複数の連結具の内部には、強度補強用芯材が設けられることを特徴とする。
【発明の効果】
【００１５】
前述した構成を有する本発明によると、本発明の一実施形態に係る組立式ポンツーンは、複数の本体を連結具を介して面接触を維持できるように相互結合されることにより、外部の水圧や荷重等に十分耐えることができる耐久性を持って、複数の本体の結合及び分離が容易な効果がある。
【図面の簡単な説明】
【００１６】
【図１】本発明の一実施形態に係る組立式ポンツーンの斜視図
【図２】本発明の一実施形態に係る組立式ポンツーンの要部拡大斜視図
【図３】図１に示されたＡ−Ａの断面図
【図４】図１に示されたＢ−Ｂの断面図
【図５】図２に示されたジョイントバの結合を概略的に示す分解斜視図
【図６】本発明の一実施形態に係る組立式ポンツーンの使用状態を示す概略図
【発明を実施するための形態】
【００１７】
以下、添付図面に基づき、本発明の好適な一実施形態について説明する。この過程で、図示の線の太さや構成要素の大きさなどは説明の明瞭性及び便宜性のために誇張されていてもよい。
【００１８】
また、後述する用語は、本発明における機能を考慮して定義された用語であり、これは、ユーザー、運用者の意図または慣例などによって異なってくるため、その定義は、 本明細書の全般に亘っての内容を踏まえて下されるべきである。
【００１９】
図１は、本発明の一実施形態に係る組立式ポンツーンの斜視図、図２は、本発明の一実施形態に係る組立式ポンツーンの要部拡大斜視図、図３は、図１に示されたＡ−Ａ断面図、図４は、図１に示されたＢ−Ｂ断面図、図５は、図２に示されたジョイントバの結合を概略的に示す分解斜視図、図６は、本発明の一実施形態に係る組立式ポンツーンの使用状態を示す概略図である。
【００２０】
図１〜図６を参照すると、本発明の一実施形態に係る組立式ポンツーン１００は、複数の本体１１０と、複数のジョイントバ１２０と、一対の締結部材１３０と、複数の連結具１４０とで構成されている。
【００２１】
複数の本体１１０は、枠面に沿って複数の結合溝１１２ａ、１１４ａが一定間隔離隔されるように、各々形成され、互いに面結合される上部本体１１２と下部本体１１４とからなる。
【００２２】
上部本体１１２と下部本体１１４は、水面から浮力を持つことができる軽量体である発泡ポリプロピレン（ＥＰＰ）材質からなる。
【００２３】
このような、下部本体１１４の上部面には、少なくとも一つ以上の挿入溝１１８が形成され、上部本体１１２の下部面には、挿入溝１１８に挿入される少なくとも一つ以上の挿入突起１１６が形成される。これは、上部本体１１２と下部本体１１４が互いに面結合されるとき、正確に結合されるようにする。
【００２４】
複数のジョイントバ１２０は、長繊維強化プラスチック（ＬＦＴ、Ｌｏｎｇ Ｆｉｂｅｒ Ｔｈｅｒｍｏｐｌａｓｔｉｃ）材質からなり、上部本体１１２と下部本体１１４の成形時上部本体１１２と下部本体１１４の内部にインサート成形されて、複数の結合溝１１２ａ、１１４ａに対応して、外部面が部分的に複数の結合溝１１２ａ、１１４ａの内部に位置される。
【００２５】
このような、複数のジョイントバ１２０は、長さ方向の所定の位置に少なくとも一つ以上の固定リブ１２２ａが上部面と下部面に対称されるように突出形成された本体１２２と、本体１２２の一側面に結合され、結合溝１２４ａが備えられた第１の結合部１２４と、本体１２２の他側面に結合され、結合溝１２４ａに挿入される結合突起１２６ａが備えられた第２の結合部 １２６からなる。
【００２６】
ここで、固定リブ１２２ａは、複数のジョイントバ１２０が上部本体１１２と下部本体１１４にインサート成形された時に堅固に結合されるようにする。
【００２７】
また、第１の結合部１２４と第２の結合部１２６は、高さが互いに異なるように本体１２２に結合されるが、これは複数のジョイントバ１２０が上部本体１１２と下部本体１１４の内部に相互結合されてインサートされた時の角となる第１の結合部１２４と第２の結合部１２６が同じ高さとなるようにする。
【００２８】
一対の締結部材１３０は、互いに面結合された上部本体１１２と下部本体１１４を固定されるようにするものであって、上部本体１１２と下部本体１１４の各々の所定の位置に対称されるように形成された複数の貫通孔１１７に挿入されて互いに締結される。
【００２９】
このような、一対の締結部材１３０は、一対のフランジ部１３２、１３２'と、一対のフランジ部１３２に各々突出形成された締結部１３４ａ、１３４ａ'を有する第１および第２の締結具１３４、１３４'とで構成される。
【００３０】
第１および第２の締結具１３４、１３４'が、互いに結合されるように一対のフランジ部１３２、１３２'に各々突出形成された締結部１３４ａ、１３４ａ'中いずれか一つの外周面には、雄ねじ部が形成され、他の一つの内周面には、雌ねじ部が形成される。
【００３１】
また、一対のフランジ部１３２、１３２中いずれか一つに締結部１３４ａ、１３４ａ'と反対方向に環部１３６が突出形成され、環部１３６には、ロープなどが結合されている。
【００３２】
複数の連結具１４０は、複数の本体１１０を相互連結して結合させるものであって、一端が複数の本体１１０中いずれか一つに形成された複数の結合溝１１２ａ、１１４ａ中いずれか一つに挿入され、他端が複数の本体１１０中他の一つに形成された複数の結合溝１１２ａ、１１４ａ中いずれか一つに挿入される。
【００３３】
ここで、複数の連結具１４０は、ゴム材質からなることが好ましいが、これは複数の連結具１４０によって互いに結合された複数の本体１１０の結合部位に波のような外力が加えられた時の衝撃を吸収する。
【００３４】
このような、複数の連結具１４０は、連結部１４２と、連結部１４２の両端に各々形成され、複数の結合溝１１２ａ、１１４ａに挿入される挿入部１４４からなる。
【００３５】
挿入部１４４の各々の下部面には、高さ方向に切開部１４４ａが形成されるが、この切開部１４４ａは、挿入部１４４が結合溝１１２ａ、１１４ａに挿入された時の結合溝 １１２ａ、１１４ａの内部に位置されたジョイントバ１２０の本体１２２に挿入される。
【００３６】
また、複数の連結具１４０の内部には、強度補強用芯材１４６が設けられることが好ましい。
【００３７】
本発明の一実施形態に係る組立式ポンツーンによると、複数の連結具１４０を利用して上部本体１１２と下部本体１１４の枠面に形成された複数の結合溝１１２ａ、１１４ａに挿入して、複数の本体１１０を互いに結合させて、ユーザーが使用しようとする用途の海洋構造物を設置することができ、複数の結合溝１１２ａ、１１４ａに挿入される複数の連結具１４０の挿入部１４４の下部面に形成された切開部１４４ａがジョイントバ１２０の本体１２２に挿入されることにより、複数の本体１１０の結合がより堅固になる。
【００３８】
従って、本発明の一実施形態に係る組立式ポンツーンは、複数の本体を連結具を介して面接触を維持できるように、相互結合されることにより、外部の水圧や荷重等に十分耐えることができる耐久性を持って、複数の本体の結合及び分離が容易な効果がある。
【００３９】
以上、本発明の好ましい一実施形態を添付図面参照して説明したが、当該技術分野の当業者は下記の特許請求範囲に記載された本発明の技術的思想から逸脱しない範囲内で本発明を様々な形に修正及び変更する可能性があることを理解できるはずである。
【産業上の利用可能性】
【００４０】
本発明は、組立式ポンツーンに関し、より具体的に説明すると、ボートやヨットなどの船舶係留場や接岸施設として利用されたり、海面に浮遊して橋としての役割を果たす浮橋をはじめ、様々な海上構造物を簡単に組立式に設置することにより、設置が簡単で、様々な形で組み立てて使用できる組立式ポンツーンに利用可能である。
【符号の説明】
【００４１】
１１０  複数の本体
１１２  上部本体
１１４  下部本体
１１２ａ、１１４ａ  結合溝
１１６  挿入突起
１１７  貫通孔
１１８  挿入溝
１２０  複数のジョイントバ
１２２  本体
１２２ａ  固定リブ
１２４  結合部
１２４ａ  結合溝
１２６  結合部
１２６ａ  結合突起
１３０  一対の締結部材
１３２、１３２'  一対のフランジ部
１３４  第１の締結具
１３４'  第２の締結具
１３４ａ、１３４ａ'  締結部
【図１】
2016510287.tif 000003
【図２】
2016510287.tif 000004
【図３】
2016510287.tif 000005
【図４】
2016510287.tif 000006
【図５】
2016510287.tif 000007
【図６】
2016510287.tif 000008
【国際調査報告】
2016510287.tif 000009
2016510287.tif 000010
2016510287.tif 000011
2016510287.tif 000012